(57)【要約】【課題】犬等の排出した糞で手を汚したり、糞の生暖かい不快な感触に接したりすることなく、糞を素早く掴んで衛生的に処理することができ、かつ柄を護身棒として使用することができる糞掴み具を提供することにある。【解決手段】筒状の柄２と、先端部に近接・離反可能な弾発性を有する1対の糞掴み部９を備えた糞掴み部材３と、一部を柄２内に収納した糞掴み部材３を柄２と連結する連結部材４とからなる。両糞掴み部９の後部８を柄２の中から引き出した時に、近接していた両糞掴み部９が離反する。糞を掴む場合は離反した両糞掴み部９に袋を被せ、両糞掴み部９の間に糞を位置させて真上から柄２を押し下げることにより、両糞掴み部９の後部８が柄２の中に入って両糞掴み部９が近接し、上記袋の中に糞を掴んで取り込むことができるように構成した。【選択図】  図１
0003119791.tif 000002
【実用新案登録請求の範囲】
【請求項１】
柄と、糞掴み部材と、連結部材とによって構成された糞掴み具であって、上記柄は硬質の筒状材からなり、上記糞掴み部材は先端部側に二股形成された近接・離反可能な弾発性を有する１対の糞掴み部を対峙して備え、かつ上記糞掴み部の後部と共に柄の中に収納する後杆部を有し、上記連結部材は柄と糞掴み部材の後杆部とを連結するものであり、上記の連結部材を介して柄に連結された糞掴み部材は、後杆部と共に糞掴み部の後部を柄の中に収納した時に上記両糞掴み部を近接し、糞掴み部の後部を柄から引き出した時に、近接していた両糞掴み部は弾発性により離反するようにした構成を特徴とする糞掴み具。
【請求項２】
糞掴み部材は、糞掴み部の後部を柄から引き出し時に、対峙する両糞掴み部が互いに離反するように後杆部に対して糞掴み部の後部を所定の角度を以って屈曲形成し、かつ糞掴み部の後部を柄の中に収納した時に、対峙する両糞掴み部の前部が互いに近接するように糞掴み部の後部に対して糞掴み部の前部を所定の角度を以って屈曲形成したことを特徴とする請求項1記載の糞掴み具。
【請求項３】
糞掴み部材は、２本または1本のピアノ線を屈曲して形成したものであることを特徴とする請求項1または２記載の糞掴み具。
【考案の詳細な説明】
【技術分野】
【０００１】
本考案は、犬等の排出した糞を処理するのに有用な糞掴み具に関するものである。
【背景技術】
【０００２】
例えば犬を飼っている人は、朝や夕方等に犬の散歩を行っている。この散歩中に犬は道端や石垣等に小便をしたり糞をしたりするのが日常である。そして犬が糞をした際には、飼い主等の犬を散歩させている人がその都度糞の処理を行っている。
【０００３】
この場合の糞の処理は、準備しておいた新聞紙やティッシュペーパー等の紙を用いて、地面に排出された糞を紙で包むようにして手で掴み、この紙で包み込んだ手の中の糞をビニール袋等に入れて開口を封じ、持ち帰って他のごみと一緒に廃棄している。
【考案の開示】
【考案が解決しようとする課題】
【０００４】
しかしながら、排出されたばかりの生暖かい糞を上記のようにして紙で掴んで処理するのは不快なものであり、糞を処理するたびに不快な思いをしなければならなかった。また、糞を紙で掴むときに手についたりする懸念もあり、現状の糞の処理作業は決して衛生的に行われているわけではなかった。
【０００５】
本考案は上記のような点に鑑みて開発されたものであり、その目的とするところは、犬等の排出した糞で手を汚したり、糞の生暖かい不快な感触に接したりすることなく、糞を素早く掴んで衛生的に処理することができ、かつ柄を護身棒として使用することができる糞掴み具を提供することにある。
【課題を解決するための手段】
【０００６】
請求項１記載の本考案は、柄と、糞掴み部材と、連結部材とによって構成された糞掴み具であって、上記柄は硬質の筒状材からなり、上記糞掴み部材は先端部側に二股形成された近接・離反可能な弾発性を有する１対の糞掴み部を対峙して備え、かつ上記糞掴み部の後部と共に柄の中に収納する後杆部を有し、上記連結部材は柄と糞掴み部材の後杆部とを連結するものであり、上記の連結部材を介して柄に連結された糞掴み部材は、後杆部と共に糞掴み部の後部を柄の中に収納した時に上記両糞掴み部は近接し、両糞掴み部の後部を柄から引き出した時に、近接していた両糞掴み部は弾発性により離反するようにした構成を特徴とする糞掴み具である。
【０００７】
また、請求項２記載の本考案は、糞掴み部材は、両糞掴み部の後部を柄から引き出し時に、対峙する両糞掴み部が互いに離反するように後杆部に対して糞掴み部の後部を所定の角度を以って屈曲形成し、かつ糞掴み部の後部を柄の中に収納した時に、対峙する両糞掴み部の前部が互いに近接するように糞掴み部の後部に対して糞掴み部の前部を所定の角度を以って屈曲形成したことを特徴とする請求項1記載の糞掴み具である。
【０００８】
また、請求項３記載の本考案は、糞掴み部材は、２本または1本のピアノ線を屈曲して形成したものであることを特徴とする請求項1または２記載の糞掴み具である。
【考案の効果】
【０００９】
本考案の糞掴み具では、通常は両糞掴み部の先端を地面に押し付けて柄の中に両糞掴み部の後部を収納し、対峙する糞掴み部を近接させておく。そして犬等が地面等に排出した糞を処理する際には、例えば柄の中から両糞掴み部の後部を引き出し近接していた両糞掴み部を離反させた状態にする。そしてこの離反した両糞掴み部にビニール袋を裏返して被せ、両糞掴み部の間にビニール袋の中央部分を窪ませて押し込む。このようにした後に柄を握って、離反した両糞掴み部の間に糞が位置するようにして糞の真上から柄を介して両糞掴み部の先端部を地面等にトントンと叩くように軽く押し付ける。このことにより柄が下がって両糞掴み部の後部は柄の中に収納され、離反していた両糞掴み部の前部は近接して糞をビニール袋で包むようにして地面等から掴み取る。この時、ビニール袋の開口は両糞掴み部の先端部で挟まれた状態となる。その後は、ビニール袋の開口をゴムバンド等で閉じて糞をビニール袋内に閉じ込める。そしてビニール袋の閉じた開口側を持って柄と反対方向に引くことにより、両糞掴み部の先端部で挟まれていたビニール袋は両糞掴み部から簡単に取り外すことができる。このようにして糞を処理すれば、糞の生暖かさを直接手で感じて不快な思いをすることもなく、簡単に、迅速に、かつ衛生的に糞を処理することができる。また、柄は硬質の筒状材であるため、犬等のペットの散歩のときには護身用の護身棒にもなり、寂しい場所を散歩させていても心強い。
【００１０】
また、糞掴み部材の後杆部と繋がる糞掴み部の後部、並びに糞掴み部の後部と繋がる糞掴み部の前部をそれぞれ所定の角度を以って屈曲形成することにより、柄内に糞掴み部の後部を収納した時には対峙する糞掴み部の前部も近接し、柄内から糞掴み部の後部を引き出した時には上記した対峙する糞掴み部の前部は適宜の間隔を以って開き、開いた両糞掴み部の前部を上記したように近接させることによって糞を簡単にかつ確実に掴めるようになる。
【００１１】
また、糞掴み部材を２本または1本のピアノ線を屈曲して形成したことにより、安価で簡単に加工できて、所期目的を有効に達成する構成部品を提供することができる。
【考案を実施するための最良の形態】
【００１２】
以下、本考案を実施するための最良の形態を図に基いて説明する。
【００１３】
図１〜図７は本考案にかかる糞掴み具に関する図であり、この糞掴み具１は柄２と糞掴み部材３と連結部材４および紐１３によって構成されている。
【００１４】
より具体的に説明すると、図示の一例の柄２は、直径２５ｍｍ位で、長さ約４００ｍｍの真っ直ぐな適宜厚さの強固な金属管からなり、一端部(後端部)２ａ近傍に穴５を開けてある。なお、柄は、硬質であれば金属製に限らず合成樹脂製、木製、竹製、或いはゴム製であってもよく、また、長さ、太さも上記の例に限定されるものではなく他の長さ太さのものであってもよい。
【００１５】
糞掴み部材３（図１、図３参照）は、図示の例では２本の所定長さのピアノ線６をそれぞれ所定箇所で屈曲形成して、それぞれのピアノ線６の後部６ａを結合したものである。
【００１６】
より具体的に説明すると、上記各ピアノ線６は、２等分に屈曲すると共にこの屈曲部分を図示のような三角形状に形成して糞掴み部９の前部７とし、この前部７に対して頂部１０から２０度〜２５度（図中符号α）の角度を以って折り曲げて頂部１０に繋がる数ｃｍの真直ぐな後部８とし、さらに、上記の後部８の後端８ａから上記した糞掴み部９の前部７の折り曲げ方向と反対の方向に２５度〜３０度（図中符号β）の角度を以って折り曲げ、後部８の後端８ａから後端部６ｂまでを後杆部１１としてある。一方のピアノ線６の後端部６ｂには、後述する連結部材４の一端部４ａを係止するフック部１２が形成してある。
【００１７】
このように屈曲形成された両ピアノ線６は、後杆部１１の端（糞掴み部の後部８の後端８ａに相当）から両糞掴み部の後部８がハ字状になるように組み合わせ、後部６ａを溶接またはロー付け等によって結合してある。
【００１８】
上記のように屈曲形成した両ピアノ線６を結合して形成された糞掴み部材３は、先端部側に近接・離反可能な弾発性を有する１対の糞掴み部９を二股状に備えた形状である。両糞掴み部９は、通常適宜間隔を以って対峙した状態となっている。そして糞掴み部９の前部７を柄２側に押して後部８を柄２の中に押し込むことにより、両糞掴み部９の対峙した状態の糞掴み部９の前部７及び後部８は近接する。
【００１９】
上記連結部材４は図示の例では輪状のゴム材を使用してあり、柄２内の上記した一方のピアノ線６のフック部１２に係止すると共に、柄２の穴5から外に一部を引き出して柄２の後端部２ａの外周面に係止してある。
【００２０】
また、図示の例では柄２の穴5に、輪状に形成した紐１３の一部を通して柄２の開口端２ｂから外に出し、この外に出した紐２の輪の部分に紐の他方の部分を通して、紐１３を柄２の後端部２ａに係止してある。この輪状の紐１３は、犬の散歩の際に手首に引っ掛けて、糞掴み具１を落とさないように持ち歩くのに使用したり、家に保管したりしておく場合に、家の適宜箇所に取り付けたフックに吊るしておくのに使用すればよい。
【００２１】
次に上記のような構成からなる糞掴み具１を使って家畜等の糞、例えば散歩中の犬の糞を処理する場合について説明する。
【００２２】
先ず本考案の糞掴み具１は、犬を散歩させる場合に、筒状の柄２の中に糞掴み部９の後部８を収納した状態で持ち歩くも（図２参照）、或いは柄２から糞掴み部９の後部８を引き出した状態で持ち歩くも（図１参照）、どちらの状態で持ち歩いてもよい。
【００２３】
そこで、ここの説明では糞掴み具１は、犬を散歩させているときに柄２から糞掴み部９の後部８を引き出した状態（図１参照）で持ち歩いていると仮定して説明する。
【００２４】
散歩させている犬が道端に立ち止まって脱糞した際に、糞掴み具１の離反（所定間隔を以って対峙）している両糞掴み部９に、持参しているビニール袋１４（図４参照）を裏返して被せ、裏返したビニール袋１４の中央の窪み１５を両糞掴み部９の間に落し込み、ビニール袋１４の開口部１６側を外側に折り返して各糞掴み部９の前部７に引っ掛ける。
【００２５】
このようにした状態で柄２を握り、両糞掴み部９の間に糞１７が位置するようにして糞１７の真上（図５参照）から両糞掴み部９の前部７の先端部７ａを地面等に軽く押し付ける。このことにより糞掴み部９の後部８は柄２の中に収納されていくと共に、離反していた糞掴み部９の前部７は近接してビニール袋１４で糞１７を包むようにして糞１７を地面等から掴み取る（図６参照）。糞１７は近接した両糞掴み部９間のビニール袋１４の窪み１５の中に収納される。その後はビニール袋１４の開口部１６を紐や、ビニール袋１４自体で開口部１６の周辺部分を閉じ、閉じたビニール袋１４の開口部１６のあたりを持って両糞掴み部９間から引っ張る（図７参照）。このことにより糞掴み部９の後部８が柄２から引き出されて両糞掴み部９は離反し、上記ビニール袋１４を両糞掴み部９から簡単に取り外すことができる。なお、図では裏返して取り付けたビニール袋１４は開口部１６を両糞掴み部９の後部８辺りに位置するものであるが（図４、図５参照）、ビニール袋１４は開口部１６を柄２まで位置するものであってもよい（図４〜図６に二点鎖線で示す）。
【００２６】
このように本考案の糞掴み具１によって犬の糞１７を処理すれば、不快な思いをすることなく、また手に糞１７がつくといったこともなく、簡単にかつ迅速に衛生的に糞１７の処理を行うことができる。上記ビニール袋１４に入れた糞１７は持ち帰って一般ゴミと一緒に廃棄処理すればよい。
【００２７】
なお、本考案の糞掴み具は、上記した図示の例に限定されるものではなく、糞掴み部材は1本の金属部材によって形成したものであってもよい。また、糞掴み部９の前部７の形状も三角形状に限らず四角形や台形等のその他の形状に形成するも自由である。また、連結部材はゴム材が好ましいが、ゴム材に限らず、布製や合成樹脂製の紐や、細い鎖であってもよい。さらに上記した糞掴み部材３の屈曲角度（α、β）は、上記した数値に限定されることなく他の数値に設計変更するも自由である。また、糞掴み部材３はピアノ線に限らず他の部材であってもよく、糞掴み部９の前部７をお椀状の形状に形成してもよい。また、上記の説明において対峙する糞掴み部９の前部７の近接とは、両糞掴み部９の前部７の先端部分（地面側）が当たる状態或いは僅かの隙間をもって接近している状態である。勿論、本考案の糞掴み具においては、近接とは糞掴み部９の前部７で糞１７を、ビニール袋１４等を介して掴める状態の意味である。また、本考案における両糞掴み部９の対峙は、図示のような平行以外の状態は勿論のこと平行の状態も含む。また本考案の糞掴み具は、犬の糞処理に限らず各種の生き物の排出物の処理に使用することができる。
【図面の簡単な説明】
【００２８】
【図１】糞掴み部を離反させた状態の本考案に係る一例の糞掴み具の斜視図である。
【図２】糞掴み部を近接させた状態の本考案に係る一例の糞掴み部材の斜視図である。
【図３】本考案に係る一例の糞掴み部材を示す説明図である。
【図４】家畜の糞を掴む前の状態の説明図である。
【図５】家畜の糞を掴む直前の状態を示す説明図である。
【図６】家畜の糞を掴んだ後の説明図である。
【図７】家畜の糞を掴んだ後の処理状態を示す説明図である。
【符号の説明】
【００２９】
１    糞掴み具
２    柄
３    糞掴み部材
４    連結部材
６    ピアノ線
７    糞掴み部の前部
８    糞掴み部の後部
９    糞掴み部
１１  後杆部
【図１】
0003119791.tif 000003
【図２】
0003119791.tif 000004
【図３】
0003119791.tif 000005
【図４】
0003119791.tif 000006
【図５】
0003119791.tif 000007
【図６】
0003119791.tif 000008
【図７】
0003119791.tif 000009